(57)【要約】【課題】排水を効率よく脱色処理し、低コストで気泡の発生を抑える排水処理システムを提供する。【解決手段】界面活性剤を含む排水を処理するための排水処理システム１であって、流量調整槽１１と、流量調整槽１１の下流に配置された第一排水処理槽１２と、を設け、第一排水処理槽１２内に複数枚の平膜を有する膜分離手段７２を設け、排水処理槽１２の下流に配置され、膜分離手段７２によって処理された一次処理水を貯留する第二排水処理槽１０１と、第二排水処理槽１０１から一次処理水を抜き出して、オゾンによる処理を行い、前記複数の処理を行った二次処理水を第二排水処理槽１０１へと戻す排水処理装置１２１と、を設け、第二排水処理槽１０１には、下部に流入口１０３を設け、一次処理水及び二次処理水の混合したものであって上方へ移動した最終処理水を排出する処理水排出口１０５を設けた。【選択図】図１
2014200707.tif 000002
【特許請求の範囲】
【請求項１】
界面活性剤を含む排水を処理するための排水処理システムであって、流量調整槽と、前記流量調整槽の下流に配置された第一排水処理槽と、を設け、前記第一排水処理槽内に複数枚の平膜を有する膜分離手段を設け、前記排水処理槽の下流に配置され、前記膜分離手段によって処理された一次処理水を貯留する第二排水処理槽と、前記第二排水処理槽から一次処理水を抜き出して、オゾンによる処理を行い、前記複数の処理を行った二次処理水を前記第二排水処理槽へと戻す排水処理装置と、を設け、前記第二排水処理槽には、下部に流入口を設け、最終処理水を排出する処理水排出口を設けた、
排水処理システム。
【請求項２】
前記第二排水処理槽の上部に、前記最終処理水の表面に発生する気泡を潰す気泡除去部材を設けた、
請求項１に記載の排水処理システム。
【請求項３】
前記第二排水処理槽の下面から上方に延伸した仕切り部材を設け、
前記処理水排出口は、前記気泡除去部材の下方であって前記仕切り部材よりも上方に設けた、
請求項２に記載の排水処理システム。
【請求項４】
前記処理水排出口の取水側端部が下方を向くように配置し、取水側端部の下方及び側方に取水用仕切り部材を設けた、
請求項３に記載の排水処理システム。
【発明の詳細な説明】
【技術分野】
【０００１】
本発明は、排水処理システムの技術に関し、特に、界面活性剤を含む排水を処理するための排水処理システムの技術に関する。
【背景技術】
【０００２】
従来、好気性微生物の作用による生物処理と膜の濾過作用による膜分離処理とを組み合わせた排水処理を行う排水処理システムが公知となっている。排水処理システムは、貯留槽にばっ気手段を設け、空気を与えることにより好気性微生物の活動を活発化させて、排水のＢＯＤ（生物学的酸素要求量）やＣＯＤ（科学的酸素要求量）を低減させる生物処理を行う。また、排水処理システムは、前記生物処理によってＢＯＤやＣＯＤが低減された排水を、膜分離手段を用いて濾過して排水内に残留している汚泥を除去し、ＢＯＤやＣＯＤを更に低減させる膜分離処理を行う。膜分離手段は、平膜を有する浸漬型の膜分離手段が公知となっている。
【先行技術文献】
【特許文献】
【０００３】
【特許文献１】特開平８−２５２５９９号公報
【発明の概要】
【発明が解決しようとする課題】
【０００４】
生物処理と膜分離処理とを組み合わせた排水処理を行う排水処理システムは、汚泥の除去及びＢＯＤやＣＯＤの軽減を十分に行うことはできるが、排水に着いた色を十分に消去することはできなかった。
一方、近年、理美容業界やクリーニング業界などの比較的小規模な施設で営業している業界においても、排水処理の必要性が高まってきている。前記業界において、営業施設から排出される排水は、洗剤などの界面活性剤を含む排水である場合が多く、排水処理システム内において移動するごとに気泡が発生しやすかった。前記気泡は、排水処理の妨げとなることがあった。
従来、気泡を除去するための手段として、消泡剤の添加による除去が行われていたが、消泡剤並びに消泡剤注入手段及び消泡剤貯蔵容器等の設備が必要となるため、設備費用、維持管理コストが増大していた。
【０００５】
そこで本発明は係る課題に鑑み、排水を効率よく脱色処理し、低コストで気泡の発生を抑える排水処理システムを提供する。
【課題を解決するための手段】
【０００６】
本発明の解決しようとする課題は以上の如くであり、次にこの課題を解決するための手段を説明する。
【０００７】
即ち、請求項１においては、界面活性剤を含む排水を処理するための排水処理システムであって、流量調整槽と、前記流量調整槽の下流に配置された第一排水処理槽と、を設け、前記第一排水処理槽内に複数枚の平膜を有する膜分離手段を設け、前記排水処理槽の下流に配置され、前記膜分離手段によって処理された一次処理水を貯留する第二排水処理槽と、前記第二排水処理槽から一次処理水を抜き出して、オゾンによる処理を行い、前記複数の処理を行った二次処理水を前記第二排水処理槽へと戻す排水処理装置と、を設け、前記第二排水処理槽には、下部に流入口を設け、最終処理水を排出する処理水排出口を設けたものである。
【０００８】
請求項２においては、前記第二排水処理槽の上部に、前記最終処理水の表面に発生する気泡を潰す気泡除去部材を設けたものである。
【０００９】
請求項３においては、前記第二排水処理槽の下面から上方に延伸した仕切り部材を設け、前記処理水排出口は、前記気泡除去部材の下方であって前記仕切り部材よりも上方に設けたものである。
【００１０】
請求項４においては、前記処理水排出口の取水側端部が下方を向くように配置し、取水側端部の下方及び側方に取水用仕切り部材を設けたものである。
【発明の効果】
【００１１】
本発明の効果として、以下に示すような効果を奏する。
【００１２】
請求項１においては、第二排水処理槽に貯留された一次処理水に対して、排水処理装置において、オゾンによる処理を行うことにより、一次処理水を脱色して無色の二次処理水とすることが可能となる。
【００１３】
請求項２においては、最終処理水の表面に浮上してきた気泡を気泡除去部材で潰すことにより効率よく処理を行うことができる。特に、気泡を除去することにより、オゾンによる処理を効率良く行うことが可能となる。
【００１４】
請求項３においては、仕切り部材によって、流入口から流入した一次処理水が短時間で処理水排出口へと移動するのを防止する。また、処理水排出口は気泡除去部材の下方にあるため、気泡を除去した最終処理水を排出することができる。
【００１５】
請求項４においては、処理水排出口の取水側端部が下方を向いているため、気泡が処理水排出口に流入しにくくなる。また、取水用仕切り部材を設けたために、一次処理水の第二排水処理槽内の滞留時間を稼ぐことができる。
【図面の簡単な説明】
【００１６】
【図１】本発明の一実施形態に係る排水処理システムの全体的な構成を示したブロック図。
【図２】第二排水処理水槽を示した断面図。
【図３】気泡除去板を示した平面図。
【図４】排水処理装置を示したブロック図。
【発明を実施するための形態】
【００１７】
次に、図１を用いて発明の実施の形態を説明する。
排水処理システム１は、界面活性剤を含む排水を処理するためのシステムであって、図１に示すように、流量調整槽１１と、流量調整槽１１の下流に配置された第一排水処理槽１２と、を設ける。界面活性剤を含む排水とは、例えば、クリーニング業においては、店舗や小規模の工場から排出される、石鹸、ＡＢＳ（アルキルベンゼンスルホン酸塩）、ＬＡＳ（直鎖アルキルベンゼンスルホン酸塩）等の界面活性剤を含む排水であり、理美容業においては、店舗から排出される洗髪液、毛染め液、パーマ液等の界面活性剤を含む排水である。
また、排水処理システム１には、流量調整槽１１と第一排水処理槽１２との間に配管２２を設けており、配管２２には移送ポンプ３２を設けている。
【００１８】
流量調整槽１１は、第一排水処理槽１２内に流入する排水の量を調整するための水槽であり、店舗等から排出された排水が一時的に貯溜される。流量調整槽１１の上流側には、店舗等から排出された排水を送り込むための流入ポンプ３１が設けられている。また、流入ポンプ３１の下流側であって流量調整槽１１の上流側には、固形物捕集装置４１が設けられている。
流量調整槽１１の内部には、水位センサ５１が設けられており、水位センサ５１は制御装置６０に接続されている。
流量調整槽１１の下部には、沈殿した汚泥を引抜くための引抜き通路３５が設けられており、引抜き通路３５には引抜き弁３６が設けられている。
流入ポンプ３１及び移送ポンプ３２は、電動ポンプであり制御装置６０に接続されている。流入ポンプ３１及び移送ポンプ３２は、制御装置６０によって「入」状態と「切」状態とを切り換えることができる。
固形物捕集装置４１は、流量調整槽１１内に流入する排水に含まれる固形物を除去するための装置であり、例えば網で構成されている。排水に含まれる固形物とは、例えば、クリーニング業においては、糸くずや洗剤の残渣であり、理美容業界においては、髪の毛やシャンプーの残渣である。
【００１９】
第一排水処理槽１２は、排水内の汚泥を除去して排水のＢＯＤやＣＯＤを低減するための水槽である。第一排水処理槽１２は、流量調整槽１１の下流に設けられており、第一排水処理槽１２の上方には、配管２２の端部が設けられている。
第一排水処理槽１２内には、図１に示すように、ばっ気手段７１と、ばっ気手段７１の下流側に配置された複数枚の平膜７３・７３・７３・・・を有する膜分離手段７２と、膜分離手段７２の下方に配置され、膜分離手段７２に対してばっ気するための膜分離手段用ばっ気手段７４と、膜分離手段７２の上方から散布する凝集剤を貯蔵する凝集剤散布手段７０と、を設ける。
第一排水処理槽１２の内部には、水位センサ５２が設けられており、水位センサ５２は制御装置６０に接続されている。
第一排水処理槽１２の下部には、沈殿した汚泥を引抜くための引抜き通路３７が設けられており、引抜き通路３７には引抜き弁３８が設けられている。
また、第一排水処理槽１２の上端付近には溢流通路３９が接続されており、第一排水処理槽１２内の排水（後述する一次処理水）が満杯になった場合には溢流通路３９から強制的に外部へ排出される。
【００２０】
ばっ気手段７１は、排水内において気泡を発生させることにより、好気性微生物に空気を供給して、好気性微生物の活動を活発化させる。活発化した好気性微生物は、排水内の界面活性剤やその他の有機物を分解する。好気性微生物とは、汚泥に存在している微生物であり、本実施形態においては、特に排水内の界面活性剤やその他の有機物を分解する能力が高い微生物である。
ばっ気手段７１は、第一排水処理槽１２内の上流側の空間に配置されており、常に排水中に存在するように配置されている。
ばっ気手段７１によって放出された気泡は汚泥を巻き上げ攪拌するとともに、汚泥に生息する好気性微生物に対し空気を供給し、好気性微生物の活動を活発化する。これにより、好気性微生物による有機物の分解が進行する。
【００２１】
膜分離手段７２は、上流のばっ気手段７１により有機物の分解が進行した状態の排水を複数枚の平膜７３・７３・７３・・・を通して濾過することにより処理する手段である。膜分離手段７２は、第一排水処理槽１２に貯溜された排水中に複数枚の平膜７３・７３・７３・・・を浸漬させる浸漬型膜分離手段である。第一排水処理槽１２の膜分離手段７２よりも下流側には排出管２３の一端が連結されており、排出管２３の他端は外部に設けられている。排出管２３の中途部には排出ポンプ３３が設けられており、排出ポンプ３３によって吸引されることで排水が膜分離手段７２を上流側から下流側へと通過して濾過される。ここで、膜分離手段７２によって処理された排水を一次処理水とする。
また排出管２３の排出ポンプ３３よりも上流側には逆止弁３４が設けられており、一次処理水が逆流するのを防止する。排出管２３に流入した一次処理水は、排出管２３他端から排出される。
【００２２】
膜分離手段用ばっ気手段７４は、膜分離手段７２の表面に向かって気泡を発生させる手段である。膜分離手段用ばっ気手段７４は、膜分離手段７２の下方に設けられており、上方へ向かって気泡を発生させる。膜分離手段用ばっ気手段７４から発生した気泡は膜分離手段７２の表面に沿って浮上し、平膜７３・７３・７３・・・の表面に付着した有機物を剥離させる。
【００２３】
凝集剤散布手段７０は、凝集剤容器７５と、散布ノズル７６とを備える。凝集剤容器７５は、第一排水処理槽１２の上方であって、膜分離手段７２の上方に設けられている。凝集剤容器７５には、凝集剤投入通路７５ａが連結されている。また、凝集材投入通路７５ａの中途部には弁７５ｂが設けられている。凝集剤投入通路７５ａはパイプなどで構成されており、その一端に散布ノズル７６が設けられ、散布ノズル７６が、膜分離手段７２の直上方に配設されている。また、凝集剤投入通路７５ａの中途部には弁７５ｂが設けられており、弁７５ｂを開閉することにより、凝集剤の投入／非投入の切換が可能となっている。弁７５ｂは電磁弁で構成され、弁７５ｂのソレノイドは制御装置６０と接続されている。凝集剤容器７５には、凝集剤が貯溜されている。凝集剤とは、汚泥を凝集させることで粒子サイズを大きくし、沈降速度を高くする物質であり、例えば、アルミニウムや鉄を含んだ無機系の凝集剤や高分子系の凝集剤が用いられる。
【００２４】
ばっ気手段７１及び膜分離手段用ばっ気手段７４には一台の空気供給手段としてのブロワ８１が接続されている。ブロワ８１はばっ気手段７１及び膜分離手段用ばっ気手段７４と給気通路８２・８３を介して連結しており、給気通路８２・８３にはそれぞれ第一弁８４・第二弁８５が設けられている。
第一弁８４は、開閉を切り換えることによりばっ気手段７１への空気の供給及び遮断を切り換える。第一弁８４（のソレノイド）は制御装置６０に接続されている。
第二弁８５は、開閉を切り換えることにより膜分離手段用ばっ気手段７４への空気の供給及び遮断を切り換える。第二弁８５（のソレノイド）は制御装置６０に接続されている。
【００２５】
制御手段としての制御装置６０は、マイクロコンピュータ等の電子式制御装置であり、各種演算処理や制御を実行するための中央処理装置（ＣＰＵ）や、ＲＡＭやＲＯＭから構成される記憶装置等を備える。第一弁８４の開閉を周期的に行うことにより、ばっ気手段７１に間歇的にばっ気を行わせることができる。例えば、第一弁８４を第一所定時間Ｔ１の間「開」状態にした後、第二所定時間Ｔ２の間「閉」状態にし、再び第一所定時間Ｔ１の間「開」状態にすることを繰り返す。これにより、ブロワ８１を定期的に停止させることが可能となり、使用エネルギーを低減することが可能となる。
【００２６】
また、制御装置６０は、流量調整槽１１内の水位センサ５１の検出値に基づいて、流入ポンプ３１の開閉制御を行う。すなわち流量調整槽１１内の水位センサ５１の検出値が所定の水位よりも高くなると、制御装置６０は流入ポンプ３１の駆動を停止する。また、流量調整槽１１内の水位センサ５１の検出値が所定の水位よりも低くなると、制御装置６０は流入ポンプ３１の駆動を開始する。
【００２７】
また、第二排水処理槽１０１は、第一排水処理槽１２の下流に配置され、膜分離手段７２によって処理された一次処理水を貯留する水槽である。第二排水処理槽１０１は、第一排水処理槽１２の下流に設けられており、第二排水処理槽１０１の下方には、排出管２３の下流側の端部が設けられている。
【００２８】
第二排水処理槽１０１は、図１及び図２に示すように、円筒形の容器であり、上面には着脱可能の蓋１０２が設けられている。
第二排水処理槽１０１は、下部に流入口１０３を設けており、排出管２３の下流側の端部は、流入口１０３と連結している。第二排水処理槽１０１は、処理水排出口１０５と、循環通路出口１０６と、循環通路入口１０９と、を設けている。
また、第二排水処理槽１０１の左右略中央部下面から上方に仕切り板１０７が突設されている。
また、蓋１０２には、排水処理装置１２１へ連結された循環通路１２２を貫入するための孔１０８と、気体排出口１１０と、が設けられている。
【００２９】
前記孔１０８に貫入された循環通路１２２の端部である循環通路出口１０６は、第二排水処理槽１０１の上下方向中間であって流入口１０３よりも上部に設けられている。循環通路出口１０６は、排水処理装置１２１において処理された処理水（後述する二次処理水）を第二排水処理槽１０１内へ戻す出口側の部材である。
循環通路出口１０６は、仕切り板１０７で区切られた空間のうち、流入口１０３が配置された側の空間に設けられている。
【００３０】
また、第二排水処理槽１０１は、下部であって流入口１０３と左右反対側に排水処理装置１２１へ連結された循環通路入口１０９を設けている。循環通路入口１０９は、一次処理水を排水処理装置１２１へ送る入口側の部材である。循環通路入口１０９は、仕切り板１０７で区切られた空間のうち、流入口１０３が配置された側と反対側の空間に設けられている。このように構成することにより、流入口１０３と循環通路入口１０９との間での一次処理水の移動が制限され、第二排水処理槽１０１内での一次処理水の滞留時間を稼ぐことができる。
【００３１】
気体排出口１１０は、後述する二次処理水中に含まれるオゾンを排出するための部材である。気体排出口１１０は、オゾン分解装置１１５に連結されており、オゾンはオゾン分解装置１１５で分解された後排出される。
【００３２】
また、第二排水処理槽１０１の内部には、図１に示すように、水位センサ１１１が設けられており、水位センサ１１１は制御装置６０に接続されている。
【００３３】
また、第二排水処理槽１０１の上部に、一次処理水及び後述する二次処理水の表面に発生する気泡を潰す気泡除去部材である気泡除去板１１２が設けられる。
【００３４】
気泡除去板１１２は、図２及び図３に示すように、第二排水処理槽１０１の底面と略同径の円板状の部材であり、塩化ビニルなどの樹脂によって構成されている。また、気泡除去板１１２には、平面視円形状の孔１１２ａが格子状に設けられている。気泡除去板１１２は、第二排水処理槽１０１の内周面に設けられた係止部材１０１ａによって下方から支持されており、地面に対して水平となるように配置されている。
【００３５】
また、処理水排出口１０５は、気泡除去板１１２の下方であって、循環通路入口１０９の上方に設けられている。また、処理水排出口１０５は、仕切り板１０７の上端よりも上方に設けられている。処理水排出口１０５は屈曲した管で構成されており、その取水側端部１０５ａが下方を向くように配置し、取水側端部１０５ａの下方及び側方に取水用仕切り部材１１３が設けられている。
【００３６】
取水用仕切り部材１１３は、取水側端部１０５ａの下方に、取水側端部１０５ａの端面と略平行に設けられている下面部材１１３ａと、取水側端部１０５ａの周囲を取り囲むように下面部材１１３ａから上方へ突設した側面部材１１３ｂとから構成されている。側面部材１１３ｂは、その上端が、気泡除去板１１２の下方に位置するように配置される。
【００３７】
処理水排出口１０５は、処理水排出通路１２７の一端に連結されている。処理水排出通路１２７の他端は、最終処理水槽１４０へ連結される。処理水排出通路１２７は中途部で上方へ屈曲した部分を設けており、後述する最終処理水内に含まれる微量のオゾンが処理水排出通路１２７から外部に漏れるのを防止する。
処理水排出通路１２７の中途部には排出弁１２８が設けられている。排出弁１２８は、開閉を切り換えることにより二次処理水の排出及び遮断を切り換える。排出弁１２８（のソレノイド）は制御装置６０に接続されている。
【００３８】
循環通路１２２は、第二排水処理槽１０１内の一次処理水を処理する排水処理装置１２１へと導入し、排出処理装置１２１から第二排水処理槽１０１内へ還流させる通路であり、循環通路１２２の中途部には、排水処理装置１２１が設けられている。
また、循環通路１２２には、第三弁１２５が設けられている。第三弁１２５は、開閉を切り換えることにより排水処理装置１２１への一次処理水の供給及び遮断を切り換える。第三弁１２５（のソレノイド）は制御装置６０に接続されている。
【００３９】
排水処理装置１２１は、図４に示すように、循環水槽１３１と、オゾン発生装置１３２と、紫外線発生装置１３３と、光触媒１３４と、を備えている。
循環水槽１３１は、循環通路１２２を流れる一次処理水に対して、オゾンによる排水処理と、紫外線による排水処理と、光触媒１３４による排水処理とを行うための水槽である。循環水槽１３１は、循環通路１２２に連結されており、循環水槽１３１の上流側から流入した一次処理水が、下流側に排出される。ここで、循環水槽１３１の下流側から排出される処理水を二次処理水とする。二次処理水は、循環通路１２２へと戻される。
【００４０】
オゾン発生装置１３２は、循環水槽１３１外部に設けられている。オゾン発生装置１３２は、空気中に含まれる酸素に放電を行うことでオゾンを発生させる装置である。オゾン発生装置１３２は電源１３５に接続されており、循環水槽１３１の周囲にある空気中の酸素を原料としてオゾンを発生させる。排水処理装置１２１には、空気入口１２１ａがあり、図示せぬ外部のコンプレッサによって外部の空気が圧縮されることにより、空気入口１２１ａから循環水槽１３１の周囲に外部の空気が流入する。オゾン発生装置１３２において発生したオゾンはポンプ１３７によって一次処理水に混合される。これにより、一次処理水は、オゾンが混入された状態で循環水槽１３１内に流入される。一次処理水は、オゾンによる脱色作用によって、脱色されて透明度が向上する。
【００４１】
紫外線発生装置１３３は、循環水槽１３１外部であって、オゾン発生装置１３２よりも下流側に設けられている。紫外線発生装置１３３から照射された紫外線は、循環水槽１３１の壁面を透過して、循環水槽１３１内の一次処理水に当たる。これにより、循環水槽１３１内の一次処理水は紫外線によって、殺菌処理される。また、オゾンと紫外線との複合効果によって殺菌処理が効率よく行われる。
【００４２】
光触媒１３４は、循環水槽１３１内部であって、紫外線発生装置１３３の発生する紫外線があたる位置に設けられている。光触媒１３４は、紫外線発生装置１３３からの紫外線によって活性化し、一次処理水中にあるＯＨ−（水酸化物イオン）などから電子を奪い、殺菌作用の強いＯＨラジカルを発生させる。
ＯＨラジカルは、一次処理水中の有機物などを酸化させることで、無害なＣＯ２やＨ２Ｏに分解する。これにより、循環水槽１３１内の一次処理水は浄化されて二次処理水となる。
【００４３】
次に、第一排水処理槽１２から第二排水処理槽１０１を通って排出されるまでの一次処理水の流れについて説明する。
第一排水処理槽１２において、排水は、排水内の汚泥を除去し、ＢＯＤやＣＯＤを低減することで一次処理水となる、一次処理水は、排出管２３から排出され排出管２３の端部に連結された流入口１０３から第二排水処理槽１０１内部へと流入する。
【００４４】
流入口１０３から流入した一次処理水は、仕切り板１０７があるため、仕切り板１０７の上端に移動するまでは、循環通路入口１０９側の空間へ移動することができないように構成されている。これにより、一次処理水の第二排水処理槽１０１における滞留時間を稼ぐことができる。
【００４５】
水位センサ１１１によって検出された第二排水処理槽１０１の水位が所定の高さまで達した場合、循環通路１２２に設けられた第三弁１２５を「開」状態とする。これにより、一次処理水が、循環通路入口１０９から循環通路１２２へと流出する。
循環通路１２２を流れる一次処理水は、ポンプ１３７からオゾンが供給され、オゾンが混入した状態で循環水槽１３１内へと流入する。循環水槽１３１内に流入した一次処理水は、上流側から下流側へ移動する途中で、紫外線発生装置１３３から照射される紫外線に当たり、殺菌処理される。また、紫外線発生装置１３３から照射される紫外線が光触媒１３４に当たることにより、光触媒１３４が活性化し、水中の水酸化物イオンなどからＯＨラジカルが一次処理水中に生成される。前記ＯＨラジカルが一次処理水中の有機物を分解することにより、一次処理水がさらに浄化され、二次処理水となる。
循環水槽１３１下流端まで移動した二次処理水は、再び循環通路１２２から第二排水処理槽１０１の循環通路出口１０６へと送られる。
このように、一次処理水を排水処理装置１２１へ送ることにより脱色、除菌、及び浄化が行われ、二次処理水となる。
【００４６】
循環通路入口１０９へ送られた二次処理水は、再び第二排水処理槽１０１内を移動する。循環通路出口１０６から第二排水処理槽１０１へと流入した二次処理水は、第三弁１２５を「開」状態としている間、仕切り板１０７を超えて再び循環通路入口１０９から循環通路１２２へと移動する。
【００４７】
また、排出弁１２８が「開」状態とされている場合、一次処理水及び二次処理水の一部は上方へと移動する。ここで、一次処理水及び二次処理水の混合したものであって上方へ移動したものを最終処理水と定義する。一次処理水が流入する流入口１０３よりも、二次処理水が流入する循環通路出口１０６の方が上方にあり、仕切り板１０７があるため、最終処理水における一次処理水と二次処理水の比率は、二次処理水の方が大きくなる。第二排水処理槽１０１の水面近くに存在する最終処理水は、循環通路１２２を複数回通った二次処理水の割合が非常に多い。
【００４８】
最終処理水にはオゾンが溶存しているため、気泡が発生しやすい。また、一次処理水に溶存している二酸化炭素も上方へ移動し気泡となる。しかし、気泡除去板１１２を設けたため、最終処理水内の気泡は気泡除去板１１２を通過する際に破裂して除去される。これにより、気泡を物理的に除去することが可能となる。
【００４９】
第二排水処理槽１０１の上方において気泡を除去された最終処理水が処理水排出口１０５から排出される。排出する水量は流入する水量と略等しくなる。流入する水量を調節することにより、最終処理水の第二排水処理槽１０１における滞留時間を調節することができる。
【００５０】
処理水排出口１０５の取水側端部１０５ａが下方を向くように配置し、取水側端部１０５ａの下方及び側方に取水用仕切り部材１１３が設けられているため、気泡除去板１１２で除去しきれなかった気泡が処理水排出口１０５から処理水排出通路１２７へ排出されるのを防止することができる。最終処理水は処理水排出通路１２７を通って最終処理水槽１４０へ排出される。
【００５１】
以上に本発明の実施形態を説明したが、上記の構成は更に以下のように変更することができる。
【００５２】
凝集剤散布手段７０は制御装置６０により制御される繰出装置を凝集剤容器７５の下部に設けて、凝集剤を繰出して散布する構成としてもよい。
また、膜分離手段用ばっ気手段７４も間歇的に作動させることも可能である。
【００５３】
また、気泡除去板１１２に設けられた孔１１２ａは平面視円形状に構成されているがこれに限定されるものではなく、平面視多角形状に構成されていてもよい。
【００５４】
以上のように、界面活性剤を含む排水を処理するための排水処理システム１であって、流量調整槽１１と、流量調整槽１１の下流に配置された第一排水処理槽１２と、を設け、第一排水処理槽１２内に複数枚の平膜を有する膜分離手段７２を設け、排水処理槽１２の下流に配置され、膜分離手段７２によって処理された一次処理水を貯留する第二排水処理槽１０１と、第二排水処理槽１０１から一次処理水を抜き出して、オゾンによる処理を行い、前記複数の処理を行った二次処理水を第二排水処理槽１０１へと戻す排水処理装置１２１と、を設け、第二排水処理槽１０１には、下部に流入口１０３を設け、一次処理水及び二次処理水の混合したものであって上方へ移動した最終処理水を排出する処理水排出口１０５を設けたものである。
このように構成することにより、第二排水処理槽１０１に貯留された一次処理水に対して、排水処理装置１２１において、オゾンによる処理を行うことにより、一次処理水を脱色して無色の二次処理水とすることが可能となる。
【００５５】
また、第二排水処理槽１０１の上部に、最終処理水の表面に発生する気泡を潰す気泡除去板１１２を設けたものである。
このように構成することにより、最終処理水の表面に浮上してきた気泡を気泡除去板１１２で潰すことにより効率よく処理を行うことができる。
【００５６】
また、第二排水処理槽１０１の下面から上方に延伸した仕切り板１０７を設け、最終処理水排出口１０５は、気泡除去板１１２の下方であって仕切り板１０７よりも上方に設けたものである。
このように構成することにより、仕切り板１０７によって、流入口１０３から流入した一次処理水が短時間で処理水排出口１０５へと移動するのを防止する。また、処理水排出口１０５は気泡除去板１１２の下方にあるため、気泡を除去した最終処理水を排出することができる。
【００５７】
また、処理水排出口１０５の取水側端部１０５ａが下方を向くように配置し、取水側端部１０５ａの下方及び側方に取水用仕切り部材１１３を設けたものである。
このように構成することにより、処理水排出口１０５の取水側端部１０５ａが下方を向いているため、気泡が処理水排出口１０５に流入しにくくなる。また、取水用仕切り部材１１３を設けたために、一次処理水の第二排水処理槽１０１における滞留時間を稼ぐことができる。
【符号の説明】
【００５８】
１      排水処理システム
１１    流量調整槽
１２    第一排水処理槽
１０１  第二排水処理槽
１０３  流入口
１０５  処理水排出口
１２１  排水処理装置
【図１】
2014200707.tif 000003
【図２】
2014200707.tif 000004
【図３】
2014200707.tif 000005
【図４】
2014200707.tif 000006